(57)【特許請求の範囲】
【請求項１】
矢板の上端に手摺を設置するための手摺取付用ブラケットであって、
細長いほぼ矩形形状の一対の矩形片と、
所定の隙間を保持するように前記矩形片同士を一方の長辺において連結するための連結片と、
前記矩形片間の隙間内に摺動可能に配置されたアーム部材と、
矩形片の前記一方の長辺と対向した他方の長辺と所定の間隔を隔てて配置された把持部と、
前記把持部に固定され、手摺の支柱を収納するための単管収納部とを備え、
前記アーム部材が、前記他方の長辺の方へ凸状に湾曲した弧状形状に形作られており、前記アーム部材の上部に設けられた弧状の開口部内に位置するように前記隙間内に第１ガイドピンが設けられ、前記一方の長辺の側に位置する前記アーム部材の縁部に沿うように前記隙間内に第２ガイドピンが設けられており、
前記他方の長辺と前記把持部との間の間隔に、手摺を設置しようとする矢板の上端を嵌め、前記アーム部材を、前記矩形片間の隙間内を下方に摺動させて、凸状に湾曲した縁部を前記間隙内に突出させることにより、前記凸状に湾曲した縁部と前記把持部との間に前記矢板を挟持して固定するように構成されていることを特徴とするブラケット。
【請求項２】
前記矩形片の下端の前記他方の長辺の側において、前記隙間内に摺動可能に配置された固定片を更に備え、
前記固定片に設けられた水平方向に延びた細長い開口部内に位置するように、前記隙間内に第３ガイドピンが設けられ、前記固形片の前記アーム部材が位置する側が、前記アーム部材の前記凸状に湾曲した縁部に接触するように弧状に形作られており、
前記アーム部材を、前記矩形片間の隙間内を下方に摺動させて、前記固定片を前記間隙内に突出させることにより、前記矢板に当接させるように構成されていることを特徴とする請求項１に記載された手摺取付用ブラケット。
【請求項３】
前記把持部の前記矢板に当接する部分および前記固定片の前記矢板に当接する部分が、鋸歯状に形成されていることを特徴とする請求項１又は２に記載された手摺取付用ブラケット。
【発明の詳細な説明】
【技術分野】
【０００１】
本発明は一般に、手摺取付用ブラケットに関する。より詳細には、本発明は、土留め矢板の上端に墜落防止用の手摺を設置するための手摺取付用ブラケットに関する。
【背景技術】
【０００２】
小規模な溝掘削作業を伴う上下水道工事等においては、労働者が溝内に立ち入る前に先行して土留め支保工を設置する「土留め先行工法」が採用される場合が多い。このような土留め先行工法では、土留め支保工の組立作業や解体作業も原則として溝内に立ち入らずに行うことができるが、溝内への墜落を防止するため、地中に打ち込まれた矢板の上端に隣接して、墜落防止用手摺が設置される（図６参照）。
【０００３】
従来、このような墜落防止用手摺は通常、支柱固定用治具をボルトで矢板に固定する等の方法により、設置されている。
【発明の開示】
【発明が解決しようとする課題】
【０００４】
しかしながら、上述のような土留め支保工は恒久的なものではなく仮設的なものであり、当該個所の工事が終了すると撤去するにもかかわらず、従来の手摺の設置・解体方法では、ボルトを締めたり弛めたりする作業が必要となるため、多大の手間と時間を要するという不都合があった。
【０００５】
本発明は、このような状況に鑑みて開発されたものであって、土留め先行工法において地中に打ち込まれた矢板の上端に隣接して設置される墜落防止用手摺の容易な設置作業・解体作業を可能にする手摺取付用ブラケットを提供することを目的としている。
【課題を解決するための手段】
【０００６】
本願請求項１に記載の手摺取付用ブラケットは、細長いほぼ矩形形状の一対の矩形片と、所定の隙間を保持するように前記矩形片同士を一方の長辺において連結するための連結片と、前記矩形片間の隙間内に摺動可能に配置されたアーム部材と、矩形片の前記一方の長辺と対向した他方の長辺と所定の間隔を隔てて配置された把持部と、前記把持部に固定され、手摺の支柱を収納するための単管収納部とを備え、前記アーム部材が、前記他方の長辺の方へ凸状に湾曲した弧状形状に形作られており、前記アーム部材の上部に設けられた弧状の開口部内に位置するように前記隙間内に第１ガイドピンが設けられ、前記一方の長辺の側に位置する前記アーム部材の縁部に沿うように前記隙間内に第２ガイドピンが設けられており、前記他方の長辺と前記把持部との間の間隔に、手摺を設置しようとする矢板の上端を嵌め、前記アーム部材を、前記矩形片間の隙間内を下方に摺動させて、凸状に湾曲した縁部を前記間隙内に突出させることにより、前記凸状に湾曲した縁部と前記把持部との間に前記矢板を挟持して固定するように構成されていることを特徴とするものである。
【０００７】
本願請求項２に記載の手摺取付用ブラケットは、前記請求項１のブラケットにおいて、前記矩形片の下端の前記他方の長辺の側において、前記隙間内に摺動可能に配置された固定片を更に備え、前記固定片に設けられた水平方向に延びた細長い開口部内に位置するように、前記隙間内に第３ガイドピンが設けられ、前記固形片の前記アーム部材が位置する側が、前記アーム部材の前記凸状に湾曲した縁部に接触するように弧状に形作られており、前記アーム部材を、前記矩形片間の隙間内を下方に摺動させて、前記固定片を前記間隙内に突出させることにより、前記矢板に当接させるように構成されていることを特徴とするものである。
【０００８】
本願請求項３に記載の手摺取付用ブラケットは、前記請求項１又は２のブラケットにおいて、前記把持部の前記矢板に当接する部分および前記固定片の前記矢板に当接する部分が、鋸歯状に形成されていることを特徴とするものである。
【発明の効果】
【０００９】
本発明の手摺取付用ブラケットにおいては、アーム部材の上端又は下端を数回叩くという簡単な作業を行うのみで、手摺の設置および解体を容易に実施することができる。また、作業を容易に行うことができるため、作業に要する時間を大幅に軽減し、仮設コストの低減を図ることもできる。
【発明を実施するための最良の形態】
【００１０】
次に図面を参照して、本発明の好ましい実施の形態に係る手摺取付用ブラケットについて詳細に説明する。図１は、本発明の好ましい実施の形態に係る手摺取付用ブラケットの正面図、図２（ａ）、図２（ｂ）、及び図２（ｃ）はそれぞれ、図１の手摺取付用ブラケットの側面図、断面図、及び平面図である。図１において全体として参照符号１０で示される本発明の好ましい実施の形態に係る手摺取付用ブラケットは、細長いほぼ矩形形状の一対の矩形片１２と、隙間ｄを保持するように矩形片１２同士を一方の長辺１２ａにおいて連結するための連結片１４とを備えている。
【００１１】
手摺取付用ブラケット１０は又、矩形片１２間の隙間ｄ内に摺動可能に配置されたアーム部材１６を備えている。アーム部材１６は、矩形片１２の長辺１２ａと対向した長辺１２ｂの方へ凸状に湾曲した弧状形状に形作られている（凸状に湾曲した縁部を参照符号１６ａで示す）。アーム部材１６の上部には、弧状の開口部１６ｂが設けられており、開口部１６ｂ内に位置するように矩形片１２間の隙間ｄ内に第１ガイドピン１８ａが設けられている。また、アーム部材１６の縁部１６ａと反対側（すなわち、凹状に湾曲した側）の縁部１６ｃに沿うように、矩形片１２間の隙間ｄ内に第２ガイドピン１８ｂが設けられている。かかる構成により、アーム部材１６は、第１ガイドピン１８ａおよび第２ガイドピン１８ｂに案内されて矩形片１２間の隙間ｄ内をほぼ上下方向に摺動するようになっている。
【００１２】
手摺取付用ブラケット１０は又、矩形片１２の長辺１２ｂと間隔Ｄを隔てて配置された把持部２０を備えている。把持部２０は、垂直部分２０ａ及び水平部分２０ｂをもつほぼ逆Ｌ字形の形状を有しており、水平部分２０ａが矩形片１２の上部に連結されている。好ましくは、垂直部分２０ａの矩形片１２の側２０ａ１は、鋸歯状に形作られている。
【００１３】
アーム部材１６は、その最上摺動位置（すなわち、第１ガイドピン１８ａがアーム部材１６の開口部１６ｂの下端に接する位置）にあるときは、縁部１６ａが間隔Ｄ内に突出せず（図４（ａ）参照）、下方に摺動するにつれて縁部１６ａが間隔Ｄ内に徐々に突出するように、配置されている。
【００１４】
手摺取付用ブラケット１０は又、矩形片１２の下端の長辺１２ｂの側において、矩形片１２間の隙間ｄ内に摺動可能に配置された固定片２２を備えている。固定片２２は、水平方向に延びた細長い開口部２２ａを有しており、開口部２２ａ内に位置するように矩形片１２間の隙間ｄ内に第３ガイドピン１８ｃが設けられている。また、固形片２２のアーム部材１６が位置する側２２ｂは、アーム部材１６の縁部１６ａが接触するように、弧状に形作られている。かかる構成により、アーム部材１６が下方に摺動すると、固定片２２の側２２ｂがアーム部材１６の縁部１６ａによって（図２（ｂ）で見て）左方に押され、これにより固定片２２が水平方向左方に摺動するようになっている。
【００１５】
好ましくは、一対の矩形片１２には、長辺１２ｂの下端部が鋸歯状になった鋸歯状部１２ｃが形成されている。また、好ましくは、固定片２２の左側の辺にも、鋸歯状部２２ｃが形成されている。さらに、好ましくは、矩形片１２の第２ガイドピン１８ｂと第３ガイドピン１８ｃとの間のアーム部材１６の縁部１６ｃに接触する箇所に、アーム部材１６の摺動をより円滑にするために、第４ガイドピン１８ｄが設けられている。
【００１６】
手摺取付用ブラケット１０は更に、把持部２０の上端に固定され、手摺の支柱となる単管を収納するための単管収納部２４を備えている。
【００１７】
なお、手摺取付用ブラケット１０を構成する矩形片１２、連結片１４、アーム部材１６、ガイドピン１８ａ〜１８ｄ、把持部２０、固定片２２、単管収納部２４は、鋼などの適当な金属材料で形成されている。
【００１８】
以上のように構成された手摺取付用ブラケット１０の使用について説明する。図４（ａ）は、アーム部材１６が最上摺動位置にある状態を示している。まず最初に、矢板の上端に、手摺取付用ブラケット１０の矩形片１２と把持部２０によって形成される間隔Ｄを嵌める（図４（ｂ）、（ｃ）参照）。次いで、アーム部材１６の上端１６ｄをハンマーで数回叩く（図４（ｄ）参照）。すると、アーム部材１６は、ガイドピン１８ａ〜１８ｄに案内されて下方に摺動し、アーム１６の縁部１６ａが間隔Ｄ内に突出し、縁部１６ａと把持部２０との間に矢板を挟持することにより、手摺取付用ブラケット１０が矢板に堅固に固定される（図４（ｅ）参照）。しかる後、単管収納部２４内に手摺の支柱となる単管を収納し、手摺を順次組み立てる（図４（ｆ）参照）。なお、アーム部材１６が下方に摺動すると、固定片２２がアーム部材１６によって押されて水平方向左方に摺動し、矢板に当接するので、手摺取付用ブラケット１０が矢板に一層堅固に固定される。
【００１９】
一方、手摺を取り外そうとする場合には、単管収納部２４内から支柱（単管）を取り外した後（図５（ａ）参照）、アーム部材１６の下端１６ｅをハンマーで数回叩く（図５（ｂ）参照）。すると、アーム部材１６が上方に摺動するため、アーム１６の縁部１６ａ及び固定片２２が矢板から離れる（図５（ｃ）参照）ので、手摺取付用ブラケット１０を矢板から容易に取り外すことができる。
【００２０】
本発明は、以上の発明の実施の形態に限定されることなく、特許請求の範囲に記載された発明の範囲内で、種々の変更が可能であり、それらも本発明の範囲内に包含されるものであることはいうまでもない。
【００２１】
たとえば、前記実施の形態では、アーム部材１６と固定片２２によって手摺取付用ブラケット１０を矢板に固定しているが、固定片２２を省略してアーム部材１６のみによって手摺取付用ブラケット１０を矢板に固定するように構成してもよい。また、前記実施の形態では、単管収納部２４が把持部２０の上端に固定されているが、単管収納部２４を、例えば把持部２０の側部に固定してもよい。さらに、図示されているアーム部材１６の湾曲形状や単管収納部２４等は単なる例示的なものであり、図示されている形状に限定されるものではない。
【図面の簡単な説明】
【００２２】
【図１】本発明の好ましい実施の形態に係る手摺取付用ブラケットを示した正面図である。
【図２】図２（ａ）は図１の線２ａ−２ａに沿って見た図、図２（ｂ）は図２（ａ）の線２ｂ−２ｂにおける断面図、図２（ｃ）は図２（ａ）の線２ｃ−２ｃに沿って見た図である。
【図３】図１の手摺取付用ブラケットのアーム部材を示した正面図である。
【図４】図１の手摺取付用ブラケットを用いて手摺を設置する手順を示した一連の図である。
【図５】図１の手摺取付用ブラケットを用いて設置された手摺を取り外す手順を示した一連の図である。
【図６】従来の墜落防止用手摺を示した概略図である。
【符号の説明】
【００２３】
１０  手摺取付用ブラケット
１２  矩形片
１２ａ  一方の長辺
１２ｂ  他方の長辺
１４  連結片
１６  アーム部材
１６ａ  凸状に湾曲した縁部
１６ｂ  弧状の開口部
１６ｃ  凹状に湾曲した縁部
１６ｄ  上端
１６ｅ  下端
１８ａ  第１ガイドピン
１８ｂ  第２ガイドピン
１８ｃ  第３ガイドピン
１８ｄ  第４ガイドピン
２０  把持部
２０ａ  水平部分
２０ｂ  垂直部分
２２  固定片
２２ａ  開口部
２４  単管収納部
ｄ  矩形片間の隙間
Ｄ  矩形片と把持部との間の間隔
【図１】
0005399316.tif 000002
【図２】
0005399316.tif 000003
【図３】
0005399316.tif 000004
【図４】
0005399316.tif 000005
【図５】
0005399316.tif 000006
【図６】
0005399316.tif 000007